(57)【要約】【課題】展示用水槽に飼育されている観賞魚等の小魚類を、魚体を損傷することなく簡単にすくい取ることができるすくい取り用具を提供する。【解決手段】把柄４を付けた環状枠主体２に、合成樹脂製の透明袋体５を、その袋口部５ａを開閉自在に装備した環状押さえ枠３で押さえ付けて着脱自在に取付けたものとする。【選択図】  図１
2008086273.tif 000002
【特許請求の範囲】
【請求項１】
環状枠主体と、該枠主体に開閉作動自在に枢着された環状押さえ枠と、前記環状枠主体から外方に延出した把柄と、合成樹脂製の透明袋体とからなり、
前記透明袋体がその開口縁部を前記環状枠主体に掛け渡し、前記押さえ枠で押さえ止めることによって前記枠主体に着脱自在に装着されてなる観賞魚等のすくい取り用具。
【請求項２】
前記環状枠主体及び押さえ枠がいずれも無色透明の合成樹脂成形体からなる請求項１に記載の観賞魚等のすくい取り用具。
【請求項３】
前記透明袋体が、無色透明な合成樹脂シートからなる請求項１または２に記載の観賞魚等のすくい取り用具。
【請求項４】
把柄が、環状枠主体に着脱自在に装着されたものである請求項１〜３のいずれか１項に記載の観賞魚等のすくい取り用具。
【発明の詳細な説明】
【技術分野】
【０００１】
本発明は、金魚、熱帯魚等の主として観賞魚を、その展示飼育用水槽から取り出すときに用いられる観賞魚等のすくい取り用具に関する。
【背景技術】
【０００２】
観賞魚等の店舗販売の場面では、大型の展示用水槽で飼われている観賞魚等を、購買者の求めに応じて当該水槽からすくい取り、これを搬送用ないし持ち帰り用の透明袋体に移し替え、そして、必要に応じて酸素を注入したり酸素発生剤を投入して購買者に引き渡されるのが普通である。
【０００３】
従来上記展示用の大型水槽からの観賞魚等の生物個体の取り出しは、手網と称される小型の「タモ網」を用いてすくい取ることによって行われていた。そのようなタモ網の近似例は、下記特許文献１、２等に見ることができる。
【特許文献１】特開２００４−２４０１７号公報
【特許文献２】特開２００４−１５９６１６号公報
【０００４】
しかしながら、上記のようなタモ網で金魚や熱帯魚等を展示用の大型水槽内からすくい取る作業は、実際上、逃げ回る魚を追いかけて網中に捕捉しなければならないため、いささか困難を伴うのはもとより、捕獲中に魚が水槽の透明な槽壁に激しくぶつかって負傷したり、あるいは網に強く擦れて体表を損傷するなど、いずれにしても生体をずいぶん弱らせてしまうおそれがあるという重大な問題があった。
【発明の開示】
【発明が解決しようとする課題】
【０００５】
本発明は、上記のような問題点に鑑み、大型の展示用水槽等に飼育されている魚類を、簡単に、かつ魚体に損傷や疲労を生じさせることなくすくい取ることが可能であり、しかもこのすくい取った魚の購買者が持ち帰る際にも便利に使用しうる、観賞魚等のすくい取り搬送用具を提供することを目的とする。
【課題を解決するための手段】
【０００６】
本発明は、上記の目的において下記の解決手段を提示するものである。
【０００７】
［１］環状枠主体と、該枠主体に開閉作動自在に枢着された環状押さえ枠と、前記環状枠主体から外方に延出した把柄と、合成樹脂製の透明袋体とからなり、
前記透明袋体がその開口縁部を前記環状枠主体に掛け渡し、前記押さえ枠で押さえ止めることによって前記枠主体に着脱自在に装着されてなる観賞魚等のすくい取り用具。
【０００８】
［２］前記環状枠主体及び押さえ枠がいずれも無色透明の合成樹脂成形体からなる前項［１］に記載の観賞魚等のすくい取り用具。
【０００９】
［３］前記透明袋体が、無色透明な合成樹脂シートからなる前項［１］または［２］に記載の観賞魚等のすくい取り用具。
【００１０】
［４］把柄が、環状枠主体に着脱自在に装着されたものである前項［１］〜［３］のいずれか１項に記載の観賞魚等のすくい取り用具。
【発明の効果】
【００１１】
上記［１］項に記載の本発明に係る観賞魚等のすくい取り具によれば、透明袋体を環状枠主体に取付けた状態で、その部分を水槽中に沈め、遊泳している魚を適当な追い棒とかタモ網等で上記透明袋体の開口部方向に追い込むようにすると、当該魚は、袋体が透明なものであることにより抵抗なくその袋体内に入り込む。そこで、把柄を持ち上げて透明袋体を水中から引き上げることにより、水が入ったまま魚を水槽中から取り出すことができる。
【００１２】
従って、魚をすくい取り用具内に捕捉する際に、魚が水槽中で激しく逃げまわることがなく、怪我をさせることがないし、捕捉した魚の体表を網で激しく擦ることもなく、生体が弱ってしまうおそれもない。
【００１３】
そしてまた、上記のように水槽中から魚をすくい取ったのち、環状押さえ枠を開いて透明袋体を環状枠主体から取り外すと、これをそのまま搬送用の袋としても使うことができる。従って、魚をタモから袋へ移し替える手間が要らないし、移し替えによる水温水質の急激な変化による魚体への悪影響も避けることができる。
【００１４】
このように、本発明のすくい取り用具によれば、展示用の大型水槽等から、そこに飼育されている熱帯魚等の観賞魚類を簡単な作業で、しかも魚体に全く悪影響を及ぼすこともなくすくい取ることができ、更にこのすくい取った魚を、すくい取り用具から外した透明袋体に入れたまま、当該袋体を持ち帰り用の袋に転用してそのまま購買者に引き渡すことができるので、移し替えの手間も要らず、購買時の手間と時間を大幅に削減できる利点がある。
【００１５】
また、前記［２］項のように、環状枠主体と環状押さえ枠とをいずれも無色透明なものとし、更にまた望ましくは前記［３］項のように透明袋体もこれを無色透明のものとすることにより、水槽中の魚をすくい取り用具の透明袋体内に追い込む際に、魚に警戒感を呼び起こすことが一層少なくなり、捕捉作業を一層行い易いものとなる。
【００１６】
更にまた、前記［４］項のように、把柄を分離自在なものとしておくことは、これによってすくい取り用具の不使用時の収納保管に便利である。
【発明を実施するための最良の形態】
【００１７】
次に、本発明の好ましい実施形態の１つを、添附図面に示す実施例に基いて説明する。
【００１８】
図１は、本発明に係る観賞魚等のすくい取り用具を使用時の状態で示す斜視図であり、図２は、その構成部材を分離して示した斜視図であり、図３は、透明袋体の取付状態の説明図である。
【００１９】
本発明に係るすくい取り用具（１）は、従来のたも網の網枠部分に相当する環状枠主体（２）と、該枠主体（２）に開閉作動自在に枢着された環状押さえ枠（３）と、前記環状枠主体（２）から外方に延出して設けられた把柄（４）と、非透水性で合成樹脂製の透明袋体（５）とからなる。
【００２０】
上記環状枠主体（２）は、無色透明な硬質合成樹脂でつくられたものであり、フレーム部分は図２に示すように断面略Ｕ字状であり、全体として平面視矩形状のものとなされている。もちろんこれは円形あるいは楕円形のものとしても良いが、展示用等の水槽（Ａ）が一般的に直方体形状のものであることに鑑み、環状枠主体（２）も長方形ないし矩形状のものとする方が、使用時に水槽の内面にぴったりと沿わせることができる点で有利である。
【００２１】
環状枠主体（２）の一端部外面には、上面に軸受部（２ａ）を有する板状部（２ｂ）が一体に延設され、更にこの板状部（２ｂ）の外方端縁に、把柄連結用の差込舌片（２ｃ）が突設されている。かつ、この差込舌片（２ｃ）の上面には、円形の係止用突出部（２ｄ）が設けられている。
【００２２】
一方、環状押さえ枠（３）は、これも無色透明な硬質合成樹脂でつくられたものであり、図２に示すように断面において下向きの略Ｕ字状を呈し、外側の垂下縁部が環状枠主体（２）の外側に嵌まり、内側の相対的に短い垂下縁部が、環状枠主体（２）の上向きの溝部内に余裕をもって緩く嵌まり合うように、全体として環状枠主体（１）に対応する平面視矩形状を呈するものとなされている。
【００２３】
この押さえ枠（３）は、外周の一部に枢支用突片部（３ａ）を有し、その２股に分かれた枢支部の先端部に内向きに一体成形された１対の突出軸部（３ｂ）（３ｂ）が、前記環状枠主体（２）の軸受部（２ａ）の軸孔に嵌合されることにより、環状枠主体（２）に対して開閉自在に枢支連結されたものとなされている。
【００２４】
そして、この枢着側と反対側の端縁中央部には、環状枠主体（２）と押さえ枠（３）のそれぞれに互いに係合する係合突片（２ｅ）と係合凹部（３ｃ）とが形成され、押さえ枠（３）を環状枠主体側に閉じ合わせたときに上記両者が係合して、徒に押さえ枠（３）が開くのを防止しうるものとなされている。
【００２５】
把柄（４）は、木製あるいは合成樹脂製の棒状体であり、基端部に設けられたスリット状の孔（４ａ）に環状枠主体（２）の差込み舌片（２ｃ）を差し込み、その係止突部（２ｄ）を係止孔（４ｂ）に嵌合係止せしめることにより、環状枠主体（２）に着脱自在に装着しうるものとなされている。
【００２６】
透明袋体（５）はポリエチレン、ポリプロピレン、ポリ塩化ビニル等の軟質合成樹脂シート製のものであり、非透水性であり、かつ無色透明である。
【００２７】
そして、この透明袋体（５）は、環状枠主体（２）の大きさに対応する袋口部（５ａ）の大きさを有するものとなされており、該袋口部（５ａ）を環状枠主体（２）に内側から外側に回して掛け渡したのち、押さえ枠（３）を閉めて、環状枠主体（２）との間に挾み込むことにより、当該枠主体（２）にしっかりと装着しうるものとなされている。
【００２８】
この発明に係る上記すくい取り用具（１）の使用に際しては、上記のような袋体（５）の取付状態において、図１に示すように、把柄（４）を片手に持って、袋体（５）部分が水中で吹き流し状態となるように、水槽（Ａ）内に沈める。
【００２９】
そして、要すれば、手近にある適宜の棒状部材やタモ網を追い込み用具（６）に使用して、水槽（Ａ）内の魚（Ｆ）を透明袋体（５）の開口した袋口部（５ａ）方向に追い込む。すると魚は、袋体（５）が無色透明であることから、何ら警戒することなく、当該透明袋（５）内に遊泳移動する。
【００３０】
そこで、狙った１ないし複数匹の所定の生体が袋体（５）内に入ったことが確認されたのち、把手（４）を持ってすくい取り用具（１）を水槽（Ａ）中から引き上げる。このさい、袋口が上になるように注意しながら、かつ袋体内に適量の水が残存するように配慮しながら引き上げる。
【００３１】
次いで、この引き上げが終れば、押さえ枠（３）を開いて環状枠主体（２）から透明袋体（５）を取り外し、要すればその袋口部（５ａ）から袋内に酸素を吹き込み、あるいは袋内の水中に酸素発生剤を投入したのち、袋口部（５ａ）をゴム紐その他適宜の口締め用具を用いて閉塞し、購買者に引き渡すこととする。購買者は、そのまま透明袋体（５）を携行用、即ち持ち運び用の袋として利用して購入した観賞魚等を持ち帰り、自宅等の水槽に放すものとする。
【００３２】
以上説明した図示実施例は本発明の好ましい実施態様の一例を示したものであり、本発明はこの実施例に限定されるものではなく、特許請求の範囲に記載した特定事項の範囲内で、種々の設計上の変更が許容され得る。
【図面の簡単な説明】
【００３３】
【図１】本発明の好ましい１つの実施形態によるすくい取り用具を使用時の状態で示す斜視図である。
【図２】本発明に係るすくい取り用具の構成部材を分離状態で示した斜視図である。
【図３】同じく本発明に係るすくい取り用具を、透明袋体の取付け途上時の状態で示した縦断面図である。
【符号の説明】
【００３４】
１…すくい取り用具
２…環状枠主体
３…環状押さえ枠
４…把柄
５…透明袋体
Ａ…水槽
Ｆ…魚
【図１】
2008086273.tif 000003
【図２】
2008086273.tif 000004
【図３】
2008086273.tif 000005
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
環状枠主体と、該枠主体に開閉作動自在に枢着された環状押さえ枠と、前記環状枠主体から外方に延出した把柄と、合成樹脂製の透明袋体とからなり、
前記透明袋体がその開口縁部を前記環状枠主体に掛け渡し、前記押さえ枠で押さえ止めることによって前記枠主体に着脱自在に装着されてなる観賞魚等のすくい取り用具。
【請求項２】
前記環状枠主体及び押さえ枠がいずれも無色透明の合成樹脂成形体からなる請求項１に記載の観賞魚等のすくい取り用具。
【請求項３】
前記透明袋体が、無色透明な合成樹脂シートからなる請求項１または２に記載の観賞魚等のすくい取り用具。
【請求項４】
把柄が、環状枠主体に着脱自在に装着されたものである請求項１〜３のいずれか１項に記載の観賞魚等のすくい取り用具。
【請求項５】
前記環状枠主体及び前記環状押さえ枠が、平面視矩形状である請求項１〜４のいずれか１項に記載の観賞魚等のすくい取り用具。
【手続補正２】
【補正対象書類名】明細書
【補正対象項目名】全文
【補正方法】変更
【補正の内容】
【発明の詳細な説明】
【技術分野】
【０００１】
本発明は、金魚、熱帯魚等の主として観賞魚を、その展示飼育用水槽から取り出すときに用いられる観賞魚等のすくい取り用具に関する。
【背景技術】
【０００２】
観賞魚等の店舗販売の場面では、大型の展示用水槽で飼われている観賞魚等を、購買者の求めに応じて当該水槽からすくい取り、これを搬送用ないし持ち帰り用の透明袋体に移し替え、そして、必要に応じて酸素を注入したり酸素発生剤を投入して購買者に引き渡されるのが普通である。
【０００３】
従来上記展示用の大型水槽からの観賞魚等の生物個体の取り出しは、手網と称される小型の「タモ網」を用いてすくい取ることによって行われていた。そのようなタモ網の例は、下記特許文献１、２等に見ることができる。
【特許文献１】特開２００４−２４０１７号公報
【特許文献２】特開２００４−１５９６１６号公報
【０００４】
しかしながら、上記のようなタモ網で金魚や熱帯魚等を展示用の大型水槽内からすくい取る作業は、実際上、逃げ回る魚を追いかけて網中に捕捉しなければならないため、いささか困難を伴うのはもとより、捕獲中に魚が水槽の透明な槽壁に激しくぶつかって負傷したり、あるいは網に強く擦れて体表を損傷するなど、いずれにしても生体をずいぶん弱らせてしまうおそれがあるという重大な問題があった。
【発明の開示】
【発明が解決しようとする課題】
【０００５】
本発明は、上記のような問題点に鑑み、大型の展示用水槽等に飼育されている魚類を、簡単に、かつ魚体に損傷や疲労を生じさせることなくすくい取ることが可能であり、しかもこのすくい取った魚の購買者が持ち帰る際にも便利に使用しうる、観賞魚等のすくい取り搬送用具を提供することを目的とする。
【課題を解決するための手段】
【０００６】
本発明は、上記の目的において下記の解決手段を提示するものである。
【０００７】
［１］環状枠主体と、該枠主体に開閉作動自在に枢着された環状押さえ枠と、前記環状枠主体から外方に延出した把柄と、合成樹脂製の透明袋体とからなり、
前記透明袋体がその開口縁部を前記環状枠主体に掛け渡し、前記押さえ枠で押さえ止めることによって前記枠主体に着脱自在に装着されてなる観賞魚等のすくい取り用具。
【０００８】
［２］前記環状枠主体及び押さえ枠がいずれも無色透明の合成樹脂成形体からなる前項［１］に記載の観賞魚等のすくい取り用具。
【０００９】
［３］前記透明袋体が、無色透明な合成樹脂シートからなる前項［１］または［２］に記載の観賞魚等のすくい取り用具。
【００１０】
［４］把柄が、環状枠主体に着脱自在に装着されたものである前項［１］〜［３］のいずれか１項に記載の観賞魚等のすくい取り用具。
【００１１】
［５］前記環状枠主体及び前記環状押さえ枠が、平面視矩形状である前項［１］〜［４］のいずれか１項に記載の観賞魚等のすくい取り用具。
【発明の効果】
【００１２】
上記［１］項に記載の本発明に係る観賞魚等のすくい取り具によれば、透明袋体を環状枠主体に取付けた状態で、その部分を水槽中に沈め、遊泳している魚を適当な追い棒とかタモ網等で上記透明袋体の開口部方向に追い込むようにすると、当該魚は、袋体が透明なものであることにより抵抗なくその袋体内に入り込む。そこで、把柄を持ち上げて透明袋体を水中から引き上げることにより、水が入ったまま魚を水槽中から取り出すことができる。
【００１３】
従って、魚をすくい取り用具内に捕捉する際に、魚が水槽中で激しく逃げまわることがなく、怪我をさせることがないし、捕捉した魚の体表を網で激しく擦ることもなく、生体が弱ってしまうおそれもない。
【００１４】
そしてまた、上記のように水槽中から魚をすくい取ったのち、環状押さえ枠を開いて透明袋体を環状枠主体から取り外すと、これをそのまま搬送用の袋としても使うことができる。従って、魚をタモから袋へ移し替える手間が要らないし、移し替えによる水温水質の急激な変化による魚体への悪影響も避けることができる。
【００１５】
このように、本発明のすくい取り用具によれば、展示用の大型水槽等から、そこに飼育されている熱帯魚等の観賞魚類を簡単な作業で、しかも魚体に全く悪影響を及ぼすこともなくすくい取ることができ、更にこのすくい取った魚を、すくい取り用具から外した透明袋体に入れたまま、当該袋体を持ち帰り用の袋に転用してそのまま購買者に引き渡すことができるので、移し替えの手間も要らず、購買時の手間と時間を大幅に削減できる利点がある。
【００１６】
また、前記［２］項のように、環状枠主体と環状押さえ枠とをいずれも無色透明なものとし、更にまた望ましくは前記［３］項のように透明袋体もこれを無色透明のものとすることにより、水槽中の魚をすくい取り用具の透明袋体内に追い込む際に、魚に警戒感を呼び起こすことが一層少なくなり、捕捉作業を一層行い易いものとなる。
【００１７】
更にまた、前記［４］項のように、把柄を分離自在なものとしておくことは、これによってすくい取り用具の不使用時の収納保管に便利である。
【００１８】
また、前記［５］項のように、環状枠主体及び環状押さえ枠を平面視矩形状のものに構成するときは、水槽内の魚をすくい取る作業時に、袋体の開口縁を保持した枠部の一側辺を水槽の内面にぴったりと沿わせて配置することができ、魚を袋体内に追い込む作業を行い易い点で有利である。
【発明を実施するための最良の形態】
【００１９】
次に、本発明の好ましい実施形態の１つを、添附図面に示す実施例に基いて説明する。
【００２０】
図１は、本発明に係る観賞魚等のすくい取り用具を使用時の状態で示す斜視図であり、図２は、その構成部材を分離して示した斜視図であり、図３は、透明袋体の取付状態の説明図である。
【００２１】
本発明に係るすくい取り用具（１）は、従来のたも網の網枠部分に相当する環状枠主体（２）と、該枠主体（２）に開閉作動自在に枢着された環状押さえ枠（３）と、前記環状枠主体（２）から外方に延出して設けられた把柄（４）と、非透水性で合成樹脂製の透明袋体（５）とからなる。
【００２２】
上記環状枠主体（２）は、無色透明な硬質合成樹脂でつくられたものであり、フレーム部分は図２に示すように断面略Ｕ字状であり、全体として平面視矩形状のものとなされている。もちろんこれは円形あるいは楕円形のものとしても良いが、展示用等の水槽（Ａ）が一般的に直方体形状のものであることに鑑み、環状枠主体（２）も長方形ないし矩形状のものとする方が、使用時に水槽の内面にぴったりと沿わせることができる点で有利である。
【００２３】
環状枠主体（２）の一端部外面には、上面に軸受部（２ａ）を有する板状部（２ｂ）が一体に延設され、更にこの板状部（２ｂ）の外方端縁に、把柄連結用の差込舌片（２ｃ）が突設されている。かつ、この差込舌片（２ｃ）の上面には、円形の係止用突出部（２ｄ）が設けられている。
【００２４】
一方、環状押さえ枠（３）は、これも無色透明な硬質合成樹脂でつくられたものであり、図３に示すように断面において下向きの略Ｕ字状を呈し、外側の垂下縁部（１３ａ）が環状枠主体（２）の外側に嵌まり、内側の相対的に短い垂下縁部（１３ｂ）が、環状枠主体（２）の上向きの溝部内に余裕をもって緩く嵌まり合うように、全体として環状枠主体（１）に対応する平面視矩形状を呈するものとなされている。
【００２５】
この押さえ枠（３）は、外周の一部に枢支用突片部（３ａ）を有し、その２股に分かれた枢支部の先端部に内向きに一体成形された１対の突出軸部（３ｂ）（３ｂ）が、前記環状枠主体（２）の軸受部（２ａ）の軸孔（１２）に嵌合されることにより、環状枠主体（２）に対して開閉自在に枢支連結されたものとなされている。
【００２６】
そして、この枢着側と反対側の端縁中央部には、環状枠主体（２）と押さえ枠（３）のそれぞれに互いに係合する係合突片（２ｅ）と係合凹部（３ｃ）とが形成され、押さえ枠（３）を環状枠主体側に閉じ合わせたときに上記両者が係合して、徒に押さえ枠（３）が開くのを防止しうるものとなされている。
【００２７】
把柄（４）は、木製あるいは合成樹脂製の棒状体であり、基端部に設けられたスリット状の孔（４ａ）に環状枠主体（２）の差込み舌片（２ｃ）を差し込み、その係止突部（２ｄ）を係止孔（４ｂ）に嵌合係止せしめることにより、環状枠主体（２）に着脱自在に装着しうるものとなされている。
【００２８】
透明袋体（５）はポリエチレン、ポリプロピレン、ポリ塩化ビニル等の軟質合成樹脂シート製のものであり、非透水性であり、かつ無色透明である。
【００２９】
そして、この透明袋体（５）は、環状枠主体（２）の大きさに対応する袋口部（５ａ）の大きさを有するものとなされており、該袋口部（５ａ）を環状枠主体（２）に内側から外側に回して掛け渡したのち、押さえ枠（３）を閉めて、環状枠主体（２）との間に挾み込むことにより、当該枠主体（２）にしっかりと装着しうるものとなされている。
【００３０】
この発明に係る上記すくい取り用具（１）の使用に際しては、上記のような袋体（５）の取付状態において、図１に示すように、把柄（４）を片手に持って、袋体（５）部分が水中で吹き流し状態となるように、水槽（Ａ）内に沈める。
【００３１】
そして、要すれば、手近にある適宜の棒状部材やタモ網を追い込み用具（６）に使用して、水槽（Ａ）内の魚（Ｆ）を透明袋体（５）の開口した袋口部（５ａ）方向に追い込む。すると魚は、袋体（５）が無色透明であることから、何ら警戒することなく、当該透明袋（５）内に遊泳移動する。
【００３２】
そこで、狙った１ないし複数匹の所定の生体が袋体（５）内に入ったことが確認されたのち、把手（４）を持ってすくい取り用具（１）を水槽（Ａ）中から引き上げる。このさい、袋口が上になるように注意しながら、かつ袋体内に適量の水を残存させるようにしながら引き上げる。
【００３３】
次いで、この引き上げが終れば、押さえ枠（３）を開いて環状枠主体（２）から透明袋体（５）を取り外し、要すればその袋口部（５ａ）から袋内に酸素を吹き込み、あるいは袋内の水中に酸素発生剤を投入したのち、袋口部（５ａ）をゴム紐その他適宜の口締め用具を用いて閉塞し、購買者に引き渡すこととする。購買者は、そのまま透明袋体（５）を携行用、即ち持ち運び用の袋として利用して購入した観賞魚等を持ち帰り、自宅等の水槽に放すものとする。
【００３４】
以上説明した図示実施例は本発明の好ましい実施態様の一例を示したものであり、本発明はこの実施例に限定されるものではなく、特許請求の範囲に記載した特定事項の範囲内で、種々の設計上の変更が許容され得る。
【図面の簡単な説明】
【００３５】
【図１】本発明の好ましい１つの実施形態によるすくい取り用具を使用時の状態で示す斜視図である。
【図２】本発明に係るすくい取り用具の構成部材を分離状態で示した斜視図である。
【図３】同じく本発明に係るすくい取り用具を、透明袋体の取付け途上時の状態で示した縦断面図である。
【符号の説明】
【００３６】
１…すくい取り用具
２…環状枠主体
３…環状押さえ枠
４…把柄
５…透明袋体
Ａ…水槽
Ｆ…魚
【手続補正３】
【補正対象書類名】図面
【補正対象項目名】図２
【補正方法】変更
【補正の内容】
【図２】
2008086273.tif 000006
【手続補正４】
【補正対象書類名】図面
【補正対象項目名】図３
【補正方法】変更
【補正の内容】
【図３】
2008086273.tif 000007